(57)【要約】【課題】コンパクトなサイズで多数の検体を収容でき、容易に密封でき、しかも清掃も容易な顕微鏡観察標本用容器を提供する。【解決手段】円形状の開口部５と矩形状の収納部２を有する容器本体と、該開口部５に螺着する蓋体６からなる顕微鏡観察標本を収納する樹脂製の容器であって、長辺内側面に支持凸部３が列設され、該支持凸部３の下端と収納部底面２ｄの間に清掃用間隙８が設けられ、収納部２の長辺外面に転倒防止部材４が設けられていることを特徴とする。【選択図】図１
2008122146.tif 000002
【特許請求の範囲】
【請求項１】
円形状の開口部と矩形状の収納部を有する容器本体と、該開口部に螺着する蓋体からなる顕微鏡観察標本を収納する樹脂製の容器であって、長辺内側面に支持凸部が列設され、該支持凸部の下端と収納部底面の間に該支持凸部が設けられていない清掃用間隙が設けられ、収納部の長辺外面に転倒防止部材が設けられていることを特徴とする顕微鏡観察標本用容器。
【請求項２】
隣接する支持凸部の間隔に、下部が狭く上部が広いテーパが付けられていることを特徴とする請求項１に記載の顕微鏡観察標本用容器。
【請求項３】
支持凸部の上端が収納部の上端付近に配置されていることを特徴とする請求項１又は２記載の顕微鏡観察標本用容器。
【請求項４】
支持凸部の上端が収納部の底面から1 ／２〜２／３の高さに配置されていることを特徴とする請求項１又は請求項２に記載の顕微鏡観察標本用容器。
【請求項５】
支持凸部の上端及び下端、及び収納部の上端が面取り又はアール処理されていることを特徴とする請求項１乃至請求項４のいずれか１項に記載の顕微鏡観察標本用容器。
【請求項６】
収納部の内側面と底面の境界がアール処理されていることを特徴とする請求項１乃至請求項５のいずれか１項に記載の顕微鏡観察標本用容器。
【請求項７】
開口部外側下方に把持突縁部が周設されていることを特徴とする請求項１乃至請求項６のいずれか１項に記載の顕微鏡観察標本用容器。
【請求項８】
転倒防止部材が長辺側外面の両端部付近に突設されていることを特徴とする請求項１乃至請求項７のいずれか１項に記載の顕微鏡観察標本用容器。
【請求項９】
樹脂が透明材料であることを特徴とする請求項１乃至請求項８のいずれか１項に記載の顕微鏡観察標本用容器。
【発明の詳細な説明】
【技術分野】
【０００１】
本発明は病理組織や生物学的液体（血液や尿など）等の検体がスライドガラス上に固定されてなる顕微鏡観察用標本を収容するための顕微鏡観察標本用容器に関し、特にコンパクトなサイズで多くの標本を収容することができ、容易に密閉することができ、かつ内部の清掃が容易な顕微鏡観察標本用容器に関するものである。
【背景技術】
【０００２】
従来から、病理組織の切片が固定され、又は生物学的液体が塗布されたスライドガラスからなる標本は、アルコールやホルマリンの中に浸して保存又は運搬されていた。そのための容器としては、例えば特許文献１に記載されたような水密性容器がある。これは標本を充分に保護でき、さらに蓋を容器に螺合させるようになっているため容易に密封できる点で好ましい容器である。しかし、複数の標本をこの容器に入れるとお互いに衝突して破損するおそれがあるという欠点がある。
【特許文献１】特開２００１−２１０９号公報
【０００３】
この点を改良して、現在では図１７に示すような、外形が円筒状で断面略正方形の穴が穿設された容器の内側にいくつかの支持凸部を設けた容器が用いられている。これは支持凸部の間に標本を挿入することにより、標本同士が衝突することもなく、保管したり、容易に持ち運ぶことができる容器である。しかしながら、少数の標本しか収納できないという問題があり（図１７の従来例では４枚）、主として、少数の標本を携帯する目的で使用されているにすぎない。
【０００４】
ところで、最近ではもっとたくさんの標本を収容でき、容易に持ち運ぶことができる顕微鏡観察標本用容器が望まれてきている。しかし、現在使用されている図１７の顕微鏡観察標本用容器をそのまま大型化すると、収納部の側部（図１８の破線矢印参照）が非常に厚くなってしまい、収納量の割には容器のサイズが過大に大きくなり、持ち運びや保存が却って困難になってしまう。また、材料面での無駄も無視できない。
【０００５】
そこで、このような問題を解決せんとして、図１９に示したようなものがある。これはガラス製で、断面が矩形になっており一列に標本を並べるようになっている。この場合には、上記したサイズが過大となる問題は解消されるものの、矩形であるため円形の場合のように蓋を螺着して容易に密封するということが不可能である。従って、この容器ではこれを密封するときに、蓋と容器とを引っ掛けるタイプの止め具を使用する必要があり、構造が複雑になるばかりでなく、作業が煩雑である。また、矩形であるため長辺方向に沿った力に対しては安定であるものの、短辺方向に沿った力に対しては不安定で転倒し易く、開蓋状態で転倒した場合には貴重な標本が台無しになる虞れがある。また、ガラス製であるため、割れたり、欠けたりして、標本を台無しにしたり、また重くて持ち運びに不便であるという欠点もある。
【０００６】
他方、容器の内部は標本から剥離した病理組織、生物学的液体又はこれらを固定染色するための薬剤等により汚染され、この汚れは容器底面付近に沈着する。このため定期的に容器内を清掃する必要があるが、標本を収容するための支持凸部が邪魔となり掃除し難いという欠点がある。即ち、支持凸部の狭い隙間は極細の布片、ブラシなどの掃除具を挿入し、該支持凸部に沿って上下に動かすことによって掃除することに制限され、例えば布片やブラシを指先で汚染物質の付着した壁面や隅部に擦り付け剥し取ることは不可能である。このため、掃除に時間と手間が掛り、特に底面との隅部については、時間と手間をかけても汚染物質を完全に除去することは困難である。
汚染物質を完全に除去しないまま該容器が再利用されると、残存する汚染物質が検査の精度に悪影響を及ぼし、これにより検査の信頼性が損なわれるという深刻な事態を惹き起こす虞れがある。
【発明の開示】
【発明が解決しようとする課題】
【０００７】
本発明は、かかる実情に鑑み、上記従来の問題を解消し、標本の収納量が大きくかつコンパクトであり、また転倒し難く、密封が容易であり、容器内部の清掃も容易に行う事ができ、検査の信頼性を高める顕微鏡観察標本用容器を提供することを目的とする。
【課題を解決するための手段】
【０００８】
上記課題を解決するための請求項１に係る本発明は、円形状の開口部と矩形状の収納部を有する容器本体と、該開口部に螺着する蓋体からなる顕微鏡観察標本を収納する樹脂製の容器であって、長辺内側面に支持凸部が列設され、該支持凸部の下端と収納部底面の間に該支持凸部が設けられていない清掃用間隙が設けられ、収納部の長辺外面に転倒防止部材が設けられていることを特徴とする顕微鏡観察標本用容器を内容とする。
【０００９】
請求項２に係る発明は、隣接する支持凸部の間隔に、下部が狭く上部が広いテーパが付けられていることを特徴とする請求項１に記載の顕微鏡観察標本用容器を内容とする。
【００１０】
請求項３に係る発明は、支持凸部の上端が収納部の上端付近に配置されていることを特徴とする請求項１又は２記載の顕微鏡観察標本用容器を内容とする。
【００１１】
請求項４に係る発明は、支持凸部の上端が収納部の底面から1 ／２〜２／３の高さに配置されているることを特徴とする請求項１又は請求項２に記載の顕微鏡観察標本用容器を内容とする。
【００１２】
請求項５に係る発明は、支持凸部の上端及び下端、及び収納部の上端が面取り又はアール処理されていることを特徴とする請求項１乃至請求項４のいずれか１項に記載の顕微鏡観察標本用容器を内容とする。
【００１３】
請求項６に係る発明は、収納部の内側面と底面の境界がアール処理されていることを特徴とする請求項１乃至請求項５のいずれか１項に記載の顕微鏡観察標本用容器を内容とする。
【００１４】
請求項７に係る発明は、開口部外側下方に把持突縁部が周設されていることを特徴とする請求項１乃至請求項６のいずれか１項に記載の顕微鏡観察標本用容器を内容とする。
【００１５】
請求項８に係る発明は、転倒防止部材が長辺側外面の両端部付近に突設されていることを特徴とする請求項１乃至請求項７のいずれか１項に記載の顕微鏡観察標本用容器を内容とする。
【００１６】
請求項９に係る発明は、樹脂が透明材料であることを特徴とする請求項１乃至請求項８のいずれか１項に記載の顕微鏡観察標本用容器を内容とする。
【発明の効果】
【００１７】
本発明の顕微鏡観察標本用容器は、開口部には蓋体を螺着できシール性（密封）の容易な円形状を採用するとともに、標本の収納部にはコンパクトなサイズ、形状で効率的に標本を収納できる矩形状を採用したことを特徴とするものである。更に、上記ユニークな形状から来る安定性に対する問題を転倒防止材により解消したことを特徴とするものである。更に、清掃を容易にするという観点から、支持凸部の下に清掃用間隙を設けたことを特徴とするものである。
【００１８】
即ち、開口部が円形状で、かつで開口部に蓋体が螺着するようになっているため、容器密閉のための作業が容易であるという利点がある。また収納部が矩形状で、かつ支持凸部が列設されているため、コンパクトなサイズ、形状で多数の標本を安全に収容することができ、しかもサイズが過大とならないという利点がある。
また、支持凸部の下部の清掃用間隙には清掃の邪魔になる凹凸がないため、布片など通常の掃除具を指先で擦り付けながら横方向に往復移動させることにより容易に清掃することができ、これにより汚染物質を容易且つ確実に除去する事ができる。その結果、検査は汚染物質の影響を受ける虞れがなく、高精度で信頼性の高い検査を行うことができる。
さらに、転倒防止部材が設けられているため、不用意に転倒することがなく、安全に標本の収容又は取り出し作業ができ、さらにまた、樹脂製であるから軽量であり持ち運びがしやすいという利点がある。
【００１９】
請求項２に係る発明の顕微鏡観察標本用容器は、隣接する支持凸部の間隔に下部が狭く上部が広いテーパが付けられているため、入り口が広くなって標本の収納又は取り出し作業がしやすくなるという利点がある。更に、下部が狭くなっているので顕微鏡観察標本用容器を持ち運ぶ際にこれが揺動したとしても、内部にある標本のがたつきが抑えられ、標本を安定に保管することができ、検体が破損する危険性が減少する。
【００２０】
請求項３に係る発明の顕微鏡観察標本用容器は、支持凸部の上端が収納部の上端付近に配置されているので、支持凸部は標本の大部分を支持することになり、標本を極めて安定的に収納できるという利点がある。
【００２１】
請求項４に係る発明の顕微鏡観察標本用容器は、支持凸部の上端が収納部の底面から1 ／２〜２／３の高さに配置されているため、標本の収納や取り出しの際に手を高く掲げる必要がなくなり、標本を収納又は取り出しやすいという利点がある。特に取り出しの際には標本が支持凸部の間隙から大きくはみ出しているため、この部分をつかみ易く、より取り出しやすくなる。
【００２２】
請求項５に係る発明の顕微鏡観察標本用容器は、支持凸部の上端及び下端、及び収納部の上端が面取り又はアール処理されているため、この部分に標本上の検体が衝突したとしても衝撃は分散されるため損傷しにくくなり、また、標本の収納又は取り出しを安全に行う事ができるという利点がある。更に、掃除する際に、手指を傷つける虞れがない。
【００２３】
請求項６に係る発明の顕微鏡観察標本用容器は、収納部の内側面と底面の境界がアール処理されているため、汚染物質が容器の隅に入り込むようなことがなく、布片など通常の掃除具により容易に汚れを落とすことができ、その結果、検査結果が汚染物質により影響を受けるようなことがなく、より信頼性の高い検査を行うことができる利点がある。
【００２４】
請求項７に係る発明の顕微鏡観察標本用容器は、開口部外側下方に把持突縁部が周設されているため、該突縁部に指を掛けることができ、持ち運んだり、蓋体を開閉したりする際の取り扱い性が高められるという利点がある。
【００２５】
請求項８に係る発明の顕微鏡観察標本用容器は、転倒防止部材が長辺側外面の両端部付近に突設されているため、安定性が増し、顕微鏡観察標本用容器がより倒れにくいという利点がある。
【００２６】
請求項９に係る発明の顕微鏡観察標本用容器は、樹脂が透明材料であるため、標本の有無が外観から判断でき、作業性が向上するという利点がある。
【発明を実施するための最良の形態】
【００２７】
次に、本発明の顕微鏡観察標本用容器を図面に基づいて説明する。
なお、図１は実施例１の一部切除正面図、図２はその一部切除平面図、図３はその一部切除側面図、図４はその底面図である。
図５は実施例２の一部切除正面図、図６はその一部切除平面図、図７はその一部切除側面図、図８はその底面図である。
図９は実施例３の一部切除正面図、図１０はその一部切除平面図、図１１はその一部切除側面図、図１２はその底面図である。
図１３は実施例４の側面図、図１５は実施例５の底面図である。
また、図中、１は本発明の顕微鏡観察標本用容器を、２は収納部を、２ａは短辺側を、２ｂは長辺側を、２ｃは内側面を、２ｄは底面を、３は支持凸部を、４は転倒防止部材を、５は開口部を、５ａは把持突縁部を、６は蓋体を、６ａはシール材を、７は凹部を、８は清掃用間隙を、Ｓは標本をそれぞれ表す。
【００２８】
本発明の顕微鏡観察標本用容器１は容器本体と蓋体６からなる。容器本体は収納部２と開口部５を有する。検体を固定した標本Ｓはアルコールやホルマリンなどの保存用の薬液で満たされた収納部２内に挿入されて、保存、運搬される。
【００２９】
収納部２は断面形状が矩形状の箱型である。ここで矩形状とは厳密な意味での矩形である必要はなく、角はアール処理などされていてもよいし、短辺側２ａ又は長辺側２ｂは装飾等のためある程度の曲面とされていてもよい。つまり、標本Ｓの表面及び裏面を短辺側２ａに向けて、長辺の方向に並べて保存できる形状であればここで言う矩形状に当てはまる。
【００３０】
長辺側２ｂの両内壁には支持凸部３が列設されている。標本Ｓはその側部を支持凸部３の間に入れて収納される。これにより標本Ｓは立った状態で保存され、かつ支持凸部３を挟んで収納された標本Ｓがお互いに衝突することがなく、検体が損傷することがない。
【００３１】
短辺側２ａには収納部２の内壁と検体との衝突を防ぐための構造が設けられていてもよい。例えば標本Ｓの中央（通常、ここに検体が固定される）と内壁が衝突しないよう、凹部を設けることもできる。具体例として図２には支持凸部３を短辺側２ａ内壁と連続して設けることにより短辺側２ａ内壁に凹部７を設けた例を示す。これにより標本Ｓの表面を壁側に向けたとしても検体が壁面との衝突により損傷することがない。なお、壁面の凹部は任意の構成であり、凹部が設けられていない顕微鏡観察標本用容器１であっても本発明の技術的範囲に含まれることは云うまでもない。この場合、標本Ｓはその裏面（検体が存在しない側）を壁側に向けて保存するほうが好ましい。
【００３２】
支持凸部３の下端と収納部の底面２ｄの間には支持凸部が設けられていない平面状の清掃用間隙８が設けられる。この清掃用間隙８には掃除の邪魔になるような凹凸がないため、収納部の底面２ｄに沈着した汚染物質を除去する際には、例えば、指先に布片等を巻き付けてこの清掃用間隙８及び底面２ｄを擦り付け横方向に往復運動させることにより、汚染物質を容易に剥離除去することができるので、清掃作業が容易になるとともに、清掃効率が向上する。
清掃用間隙８の大きさ、即ち支持凸部３の下端と収容部底面２ｄとの間の距離は特に限定されないが、清掃の際には収容部２の内部を指でこする事もある点を考慮し、指が楽に入る程度の大きさ、具体的には８〜１５ｍｍ程度が好ましい。８ｍｍ未満だと指が入り難くなる場合があり、また、１５ｍｍを超えても清掃効率は上昇しない上に標本Ｓを支える部分が減少するため標本Ｓが若干不安定になる。
【００３３】
隣接する支持凸部３の間隔に下部が狭く上部が広いテーパを付ける、即ち支持凸部３の幅に上側で狭く下側で広いテーパを付けることができる。標本Ｓは支持凸部３の間に上方から挿入するため、かかるテーパを付けると入り口が広くなり、標本Ｓの収納や取り出しがしやすくなる。また下部が狭いためこの部分で標本Ｓのがたつきを抑えることができ、これにより標本Ｓを安定に保管することができ、検体が破損する危険性が減少する。
【００３４】
支持凸部３の上端は、通常、収納部２の上端付近に配置され、これにより標本が安定的に収納される。標本Ｓの挿入しやすさの点からは、収納部２の上端よりも５〜１０ｍｍ低い位置に配するのが好ましい。また支持凸部３の上端を収納部２の底面から1 ／２〜２／３の高さに配置することもできる。このようにすることにより、標本Ｓの収納時に、標本Ｓを持つ手を高く掲げる必要がなくなるとともに、標本Ｓを収納又は取り出す際に、標本Ｓを傾けられる角度が大きくなるので作業が容易となる。特に取り出しの際には標本が支持凸部３の間隙から大きくはみ出しているため、この部分をつかみ易く、より取り出しやすくなっている。
ここで支持凸部３の上端が２／３を超えた位置に配置された場合は、収納部２の上端付近に配置した場合と比較し大差がない。また、１／２未満の位置に配置されるとその上端は標本Ｓの重心よりも低くなってしまうため、標本Ｓを充分支えきれず不安定となるおそれがあるため好ましくない。
【００３５】
支持凸部３の上端及び下端、及び収納部２の上端は、アール処理または面取りがされていることが好ましい。これは、第１には、標本Ｓを安全に出し入れできるようにするためである。即ち、標本Ｓを収納または取り出す際に、これが支持凸部の上端、下端、収納部の上端などと衝突した場合でも、形成されたアールにより衝撃が分散されるため、検体が損傷することが防止される。
第２には支持凸部３や掃除用間隙８を掃除する際に、手指を傷つけることが防止される。
【００３６】
支持凸部３の高さ（突出高さ）は、支持凸部と支持凸部との間に標本を安定的に保持できる程度であればよく、通常、２〜５ｍｍ程度である。
支持凸部３の間隔は特に限定されないが、標本Ｓが１枚、又は２枚入る程度が望ましい。標本Ｓの表面にある検体が隣の標本Ｓと衝突しないようにできるからである。なお、ひとつの間隙に２枚の標本Ｓを入れる場合はお互いを裏面（検体が存在しない面）で合わせるようにすればよい。また、３枚以上（図１０参照）入る程度の間隔としてもよい。
【００３７】
尚、支持凸部３を断面が正弦波状に設け、標本が常に該正弦波状凹部の中央に位置するように設けると、標本が狭広の差異なく略等間隔に整列することになるので指で摘んで取り出し易く、また、外観も良好となるので好ましい。
【００３８】
収納部の内側面２ｃと底面２ｄの境界をアール処理することもできる。通常の場合、隅の部分に付着した汚れは落としにくく、先の細いブラシや布片などで何度もこすってやっときれいにすることができるが、この部分をアール処理することにより隅になる部分をなくした場合、単に布片など通常の掃除具で拭くことにより汚染物質を除去することができ、清掃が容易になる。これにより洗い残しの汚染物質がアルコールやホルマリンなどに溶け出して検体に付着し、検査結果を乱すような事態を防止できるので、より信頼性の高い検査を行うことができる。
【００３９】
本発明の顕微鏡観察標本容器には転倒防止部材４が設けられる。本発明の顕微鏡観察標本用容器１における収納部２は断面が矩形状の箱型であり、収納部２の上部に断面が円形状の筒型である開口部５が設けられている。このため重心が高く、短辺側２ａからは非常に安定で倒れにくいが、長辺側２ｂからは倒れやすい。これを防ぐため、長辺側２ｂの両外面には転倒防止部材４が設けられている。これにより、顕微鏡観察標本用容器１の転倒が防がれる。
【００４０】
転倒防止部材４の形状は顕微鏡観察標本用容器１の転倒を防止できる形状であれば特に限定されないが、例えば長辺側２ｂの両端部から外面と直交する方向に突設された板状部材が例示できる。この場合、転倒防止部材４の間隔が最も広くなって安定性が増し、顕微鏡観察標本用容器がより倒れにくいため好ましい。
【００４１】
また、この転倒防止部材４を収納部２の半分ほどの高さである２枚の板状部材とすることもできる。この場合、必要に応じ、この転倒防止部材４を標本Ｓの仮置用の台としても使用できる。
さらに、長辺側２ｂの下辺中央部から突出される棒状部材、外面に直交する方向に突設された三角形の板状部材、棒状部材の先端から横設された円弧状部材とすることもできる。
【００４２】
転倒部材４の突設長さは大きい程転倒防止効果は大きくなるが、外観上及び取り扱い性の面では好ましくないので、円形状の開口部の範囲内、又は把持突縁部を設ける場合は把持突縁部の範囲内とするのが好ましい。
【００４３】
開口部５は断面形状が円形状の筒状部材であり、その外周にはねじ山が螺刻されている。即ち、顕微鏡観察標本用容器１を密閉するには単に蓋体６を開口部５に螺着させるだけでよく、極めて容易である。
【００４４】
開口部５の外側下方には把持突縁部５ａを周設するのが好ましい。この把持突縁部５ａに指を掛けることができるので作業性が高められる。また、把持突縁部５ａを片手で持って蓋体６を螺着したり螺離することもできる。
【００４５】
把持突縁部５ａの形状は特に限定されないが、リング状の平板をつけるのが好ましい。顕微鏡観察標本用容器１がどのような置き方をされていても好適に把持突縁部５ａに指を掛けることができるからである。
【００４６】
蓋体６の裏面にはシール材６ａが設けられる。シール材６ａの形状は開口部５と蓋体６の間を密閉できる限り特に限定されず、Ｏリング型、平板リング型、円盤型などさまざまな形状が採用できる。
その材質も特に限定されず、軟質塩化ビニル、軟質ポリエチレン等の軟質プラスチック、シリコーンゴム、天然ゴム等のエラストマーなどが例示できる。
【００４７】
本発明の顕微鏡観察標本用容器は造形性や軽量化を考慮して樹脂製である。使用できる樹脂としては特に限定されないが、ポリエチレン、ポリプロピレン等のポリオレフィン樹脂、ポリスチロール樹脂、塩化ビニル樹脂、ポリエステル樹脂、ポリアミド樹脂、ＡＢＳ樹脂、ＡＳ樹脂、ポリアセタール樹脂等が挙げられる。
また、透明な樹脂を使用するとより好ましい。標本Ｓの有無や検体の種類を外観から判断することができ、作業性が向上するからである。透明材料としては、特に限定されないがポリプロピレン、ポリアミド樹脂、ポリエステル樹脂、ポリアセタール樹脂等が例示できる。
【実施例】
【００４８】
以下、本発明を実施例に基づいて更に詳細に説明するが、本発明はかかる実施例のみに限定されないことは云うまでもない。
【００４９】
実施例１
図１乃至図４に本発明の顕微鏡観察標本用容器１の実施例１を示す。実施例１は矩形状の収納部２と円形状の開口部５を有しており、開口部５に蓋体６が螺着している。開口部５の下方には平板リング状の把持突縁部５ａが設けられているため、この把持突縁部５ａに指を掛けて持ち運びでき、また、これを押さえながら蓋体６を回すことにより、強く締め付けることができ密封しやすく、また、蓋体６を取り外しやすい。
収納部２の長辺側２ｂの両端部から転倒防止部材４が突設されているため（図４参照）、顕微鏡観察標本用容器１はより倒れにくくなっている。なお転倒防止部材４は開口部５の下面にまで延設されているため、顕微鏡観察標本用容器１の強度増強にも役立っている。
【００５０】
図２に示すように収納部２の長辺側２ｂ内壁には片面あたり１１個の支持凸部３が列設されている。支持凸部３の間隔は標本Ｓが１枚入る程度なので、合計１０枚の標本Ｓを収納できる。また支持凸部３の上端及び下端はアール処理されているため、ここに標本Ｓがぶつかったとしても衝撃は少なく、検体を損傷する危険が減少する。なお、収納部２の上端、即ち開口部５との境目にもアール処理がされており、衝突による検体損傷の危険性はさらに低くなっている。更に掃除の際に手指を傷つけることが防止される。
【００５１】
支持凸部３の間隙には、図３に示す通り、下部が狭く上部が広いテーパが付けられている。つまり入り口が広くなっているため標本Ｓを支持凸部３の間に入れやすく、また取り出しやすい。また支持凸部３の間隙に入る標本Ｓは１枚であるので標本Ｓ同士が衝突することがなく、最も安全に保存、運搬をすることができる。
なお、実施例１では支持凸部３の上端は収納部の上端付近（収納部２の上端より７〜８ｍｍ下方）に設けられており、標本Ｓの挿入又は取り出しが容易である。
【００５２】
支持凸部３の下端と底面２ｄの間には１５ｍｍ程度の清掃用間隙８が設けられている。この間隙には清掃の邪魔になるような凹凸がないため、収納部２の内部に沈殿、付着した汚染物質を除去する場合、例えば、布片を指先に巻き付け、清掃用間隙８内を内側面２ｃに沿って擦り付けることにより容易に拭き取ることができる。また、内側面２ｃと底面２ｄの間はアール処理されているため、汚染物質が隅の部分に入り込むようなことがなく、清掃がより容易になる。
【００５３】
なお、材質は不透明な材質、透明な材質のいずれでもよいが、透明材料を用いると標本Ｓの有無や検体の種類を視認でき、作業性が向上する。
【００５４】
実施例２
図５乃至図８に本発明の顕微鏡観察標本用容器１の実施例２を示す。実施例２は収納部２の長辺側２ｂのやや内側から転倒防止部材４が突設されている（図８参照）。本実施例では転倒防止部材４の高さは収納部２の半分ほどとなっており、必要に応じ、その上に標本Ｓを仮置きできるようになっているため作業性が向上する。なお、この実施例にも平板リング状の把持突縁部５ａが設けられ、取り扱い性、蓋体６の螺着又は螺離が容易となっている。
【００５５】
図６に示すように収納部２の長辺側２ｂ内壁には片面あたり７個の支持凸部３が列設されている。本実施例では支持凸部３の間隔は標本Ｓが２枚入る程度に設計されているので、合計１６枚の標本Ｓを収納できる。この場合、標本Ｓの裏面同士を合わせて収納することにより検体が隣り合う標本Ｓと衝突することを防止でき、安全かつより多数の標本Ｓを保存、運搬することができる。また支持凸部３の上端及び下端はアール処理されているため、ここに標本Ｓがぶつかったとしても衝撃が分散されて小さくなり、検体を損傷する危険が減少する。更に掃除の際に手指を傷つけることが防止される。
【００５６】
支持凸部３の間隙には、図７に示す通り、下部が狭く上部が広いテーパが付けられている。つまり入り口が広くなっているため標本Ｓを支持凸部３の間に入れやすく、また取り出しやすい。また、下部が狭くなっているため、標本Ｓのがたつきはこの部分により抑えられ検体Ｓが損傷する危険性は減少する。
【００５７】
なお、実施例２では支持凸部３の上端は収納部２の底面から約２／３の高さに配置されている。この程度の高さとすることにより、標本Ｓを支持凸部３の間に挿入したり取り出す際に手を高く上げる必要がなく、また、標本Ｓの傾斜角度の自由度が大きくなるので標本Ｓの収納又は取り出しが容易である。
【００５８】
支持凸部３の下端と底面２ｄの間には８ｍｍ程度の清掃用間隙８が設けられ、内側面２ｃと底面２ｄの間はアール処理されている。これにより収納部２内部の清掃が容易になる点は実施例１と同様である。
【００５９】
実施例３
図９乃至図１２に本発明の顕微鏡観察標本用容器１の実施例３を示す。実施例３は収納部２の長辺側２ｂの下部中央から棒状の転倒防止部材４が突設されているため（図１２参照）、実施例１、実施例２と比較するとやや安定性に欠けるが、通常の使用をする分には十分な安定性を有する。また、転倒防止部材４自体の体積は最も小さいため、安価かつ軽量の顕微鏡観察標本用容器１を得ることができる。
【００６０】
図１０に示すように収納部２の長辺側２ｂ内壁には片面あたり５個の支持凸部３が列設されている。本実施例では支持凸部３の間隔は標本Ｓが３枚入る程度に設計されており、合計１８枚の標本Ｓを収納できる。また支持凸部３の上端及び下端はアール処理されているため、ここに標本Ｓがぶつかったとしても衝撃は少なく、検体を損傷する危険が減少する。なお、収納部２の上端、即ち開口部５との境目にもアール処理がされており、衝突による検体損傷の危険性はさらに低くなっている。更に掃除の際に手指を傷つけることが防止される。
【００６１】
支持凸部３の間隙には、図１１に示す通り、下部が狭く上部が広いテーパが付けられている。つまり入り口が広くなっているため標本Ｓを支持凸部３の間に挿入しやすく、また取り出しやすい。また支持凸部３の間隙に入る標本Ｓは３枚であるので、多数の標本Ｓを保存、運搬することができる。
【００６２】
なお、実施例３では支持凸部３の上端は収納部２の上端付近（収納部２の上端と略同じ）に配置されている。このようにすると標本Ｓは最も安定し、検査時にあっては倒れ難く、運搬時でも標本Ｓはがたつき難くなり、検体が破損する虞れが減少する。
【００６３】
支持凸部３の下端と底面２ｄの間には１０ｍｍ程度の清掃用間隙８が設けられ、内側面２ｃと底面２ｄの間はアール処理されている。これにより収納部２内部の清掃が容易になる点は実施例１及び実施例２と同様である。
【００６４】
実施例４
図１３に本発明の顕微鏡観察標本用容器１の実施例４を示す。実施例４は収納部２の長辺側２ｂから突設された転倒防止部材４を略３角形の板状部材とした例である。これは実施例２と同等の安定性、強度を保ちつつ軽量化を図った例である。なお、この例では把持突縁部５ａが設けられていないが、収納部２などを押さえることにより蓋体６を締め込み、又は取り出すことができる。支持凸部３及び清掃用間隙８については実施例１と同様である。
【００６５】
実施例５
図１４、図１５に本発明の顕微鏡観察標本用容器１の実施例５を示す。実施例５は収容部２の短辺側が円形状の開口部５の一部を利用した弧状からなり、また、転倒防止部材４は、収納部２の長辺側２ｂから突設された棒状部材の先端から環状部材を横設したもので、それ以外は実施例３と同様である。この環状部材により、安定性が一層高められる。
【００６６】
実施例６
図１６に支持凸部３の他の例を示す。即ち、本実施例の支持凸部３はその断面が正弦波状に設けられ、隣接する支持凸部３の間に形成される間隙である正弦波状凹部の略中央に標本Ｓが位置するように形成されている。かくして、標本Ｓは狭広の差異なく略等間隔で整列するため、標本Ｓを指で摘んで取り出し易いばかりでなく、見た目にも綺麗である。
【産業上の利用可能性】
【００６７】
叙上のとおり、本発明の顕微鏡観察標本用容器は、コンパクトなサイズ、形状であるにも拘らず、多数の標本を収納でき、密封が容易である。しかも清掃が容易であるので、汚染物質による検査精度への悪影響が避けられ、信頼性の高い検査を行うことができ、特に、病院など、大量の検体を検査する場合に、頗る有用性が高いものである。
【図面の簡単な説明】
【００６８】
【図１】実施例１の一部切除正面図である。
【図２】実施例１の一部切除平面図である。
【図３】実施例１の一部切除側面図である。
【図４】実施例１の底面図である。
【図５】実施例２の一部切除正面図である。
【図６】実施例２の一部切除平面図である。
【図７】実施例２の一部切除側面図である。
【図８】実施例２の底面図である。
【図９】実施例３の一部切除正面図である。
【図１０】実施例３の一部切除平面図である。
【図１１】実施例３の一部切除側面図である。
【図１２】実施例３の底面図である。
【図１３】実施例４の側面図である。
【図１４】実施例５の一部切除平面図である。
【図１５】実施例５の底面図である。
【図１６】実施例６の支持凸部の他の例を示す要部断面図である。
【図１７】従来の顕微鏡観察標本用容器の説明図である。
【図１８】従来の顕微鏡観察標本用容器の欠点を表す説明図である。
【図１９】従来の顕微鏡観察標本用容器の説明図である。
【符号の説明】
【００６９】
１  顕微鏡観察標本用容器
２  収納部
２ａ  短辺側
２ｂ  長辺側
２ｃ  内側面
２ｄ  底面
３  支持凸部
４  転倒防止部材
５  開口部
５ａ  把持突縁部
６  蓋体
６ａ  シール材
７  凹部
８  清掃用間隙
Ｓ  標本
Ａ  従来の顕微鏡観察標本用容器
【図１】
2008122146.tif 000003
【図２】
2008122146.tif 000004
【図３】
2008122146.tif 000005
【図４】
2008122146.tif 000006
【図５】
2008122146.tif 000007
【図６】
2008122146.tif 000008
【図７】
2008122146.tif 000009
【図８】
2008122146.tif 000010
【図９】
2008122146.tif 000011
【図１０】
2008122146.tif 000012
【図１１】
2008122146.tif 000013
【図１２】
2008122146.tif 000014
【図１３】
2008122146.tif 000015
【図１４】
2008122146.tif 000016
【図１５】
2008122146.tif 000017
【図１６】
2008122146.tif 000018
【図１７】
2008122146.tif 000019
【図１８】
2008122146.tif 000020
【図１９】
2008122146.tif 000021